【手続補正書】
【提出日】平成15年10月21日(2003.10.21)
【手続補正１】
【補正対象書類名】明細書
【補正対象項目名】発明の名称
【補正方法】変更
【補正の内容】
【発明の名称】情報記録装置及び情報記録方法並びに情報再生装置及び情報再生方法
【手続補正２】
【補正対象書類名】明細書
【補正対象項目名】特許請求の範囲
【補正方法】変更
【補正の内容】
【特許請求の範囲】
【請求項１】
副映像情報を含む記録情報を処理する信号処理手段と、
前記記録情報に対応する再生制御情報を含む付加情報を生成する付加情報生成手段と、
前記記録情報及び前記付加情報を記録媒体に記録する記録手段と、を備え、
前記記録情報は複数のデータグループに区分され、
前記複数のデータグループの各々は前記再生制御情報を含み、
前記再生制御情報は、前記副映像情報をハイライト表示するためのハイライト情報を含み、
前記ハイライト情報は、前記ハイライト表示の有効期間を規定する時刻管理情報を含むことを特徴とする情報記録装置。
【請求項２】
前記時刻管理情報は、前記有効期間を前記データグループよりも細かい単位で管理可能とすることを特徴とする請求項１に記載の情報記録装置。
【請求項３】
前記時刻管理情報は、
前記ハイライト表示の開始時間を示すハイライト開始点情報と、
前記ハイライト表示の終了時間を示すハイライト終了点情報と、
を含むことを特徴とする請求項１又は２に記載の情報記録装置。
【請求項４】
前記ハイライト表示の開始時間は、ハイライト対象の副映像情報の表示開始時間以上であり、
前記ハイライト表示の終了時間は、ハイライト対象の副映像情報の表示終了時間以下であることを特徴とする請求項３に記載の情報記録装置。
【請求項５】
前記ハイライト情報は、
当該ハイライト情報と、当該ハイライト情報を含む前記再生制御情報が属するデータグループに先行する先行データグループに属する再生制御情報が含むハイライト情報とが同一であるか否かを示すハイライト同一情報を含むことを特徴とする請求項１乃至４のいずれか一に記載の情報記録装置。
【請求項６】
前記ハイライト情報は、
当該ハイライト情報と、
当該ハイライト情報を含む前記再生制御情報が属する前記データグループに先行する先行データグループに属する前記再生制御情報が含むハイライト情報と、
が特定の一部において同一であるか否かを示すハイライト一部同一情報を含むことを特徴とする請求項１乃至５のいずれか一に記載の情報記録装置。
【請求項７】
前記記録情報は、主映像情報を含み、
前記副映像情報は、前記主記録情報にスーパーインポーズ表示されるものであることを特徴とする請求項１乃至６のいずれか一に記載の情報記録装置。
【請求項８】
前記記録媒体は、マスタディスクであり、
前記マスタディスクを用いてレプリカディスクを製造する手段を更に備えることを特徴とする請求項１乃至７のいずれか一に記載の情報記録装置。
【請求項９】
請求項８に記載の情報記録装置により製造されたレプリカディスク。
【請求項１０】
副映像情報を含み、複数のデータグループに区分された記録情報と、
前記記録情報に対応する再生制御情報と、が記録されていると共に、
前記複数のデータグループの各々が前記再生制御情報を含んで記録されており、
前記再生制御情報が前記副映像情報をハイライト表示するためのハイライト情報を含んで記録されており、
前記ハイライト情報が前記ハイライト表示の有効期間を規定する時刻管理情報を含んで記録されている情報記録媒体から情報を再生する情報再生装置であって、
前記情報記録媒体に記録されている情報を読取る読取手段と、
前記読取手段により読取られた情報を復調して復調信号を生成する復調手段と、
前記復調信号から前記ハイライト情報を検出する検出手段と、
前記検出されたハイライト情報に基づき前記ハイライト表示を制御する制御手段と、
を備えたことを特徴とする情報再生装置。
【請求項１１】
前記時刻管理情報は、前記有効期間を前記データグループよりも細かい単位で管理可能とし、
前記制御手段は、前記有効期間の間ハイライト表示を行うことを特徴とする請求項１０に記載の情報再生装置。
【請求項１２】
前記時刻管理情報は、前記ハイライト表示の開始時間を示すハイライト開始点情報と、前記ハイライト表示の終了時間を示すハイライト終了点情報と、を含み、
前記制御手段は、前記ハイライト開始点情報に基づいてハイライト表示を開始し、前記ハイライト終了点情報に基づいてハイライト表示を終了することを特徴とする請求項１０又は１１に記載の情報再生装置。
【請求項１３】
前記ハイライト情報は、当該ハイライト情報と、当該ハイライト情報を含む前記再生制御情報が属する前記データグループに先行する先行データグループに属する前記再生制御情報に含まれているハイライト情報とが同一であるか否かを示すハイライト同一情報を含み、
前記制御手段は、前記ハイライト同一情報が、当該ハイライト情報と前記先行データグループに属する再生制御情報に含まれているハイライト情報とが同一であることを示している場合、前記先行データグループに含まれるハイライト情報によるハイライト表示を継続することを特徴とする請求項１０乃至１２のいずれか一に記載の情報再生装置。
【請求項１４】
前記ハイライト情報は、当該ハイライト情報と、当該ハイライト情報を含む前記再生制御情報が属する前記データグループに先行する先行データグループに属する前記再生制御情報に含まれているハイライト情報とが特定の一部において同一であるか否かを示すハイライト一部同一情報を含み、
前記制御手段は、前記ハイライト一部同一情報が、当該ハイライト情報と前記先行データグループに属する再生制御情報に含まれているハイライト情報とが特定の一部において同一であることを示している場合、前記特定の一部について、前記先行データグループに属する再生制御情報が含むハイライト情報によるハイライト表示を継続することを特徴とする請求項１０乃至１３のいずれか一に記載の情報再生装置。
【請求項１５】
前記記録情報が主映像情報を含むと共に、
前記情報再生装置は、
前記主映像情報を復号する主映像デコーダと、
前記副映像情報を復号する副映像デコーダと、
前記副映像デコーダにより復号された副映像情報を、前記主映像デコーダにより復号された前記主記録情報にスーパーインポーズ表示するための混合手段と、
を更に備えたことを特徴とする請求項１０乃至１４のいずれか一に記載の情報再生装置。
【請求項１６】
副映像情報を含む記録情報を処理する信号処理手段と、
前記記録情報に対応する再生制御情報を含む付加情報を生成する付加情報生成手段と、
前記記録情報及び前記付加情報を記録媒体に記録する記録手段と、を備え、
前記記録情報は複数のデータグループに区分され、
前記複数のデータグループの各々は前記再生制御情報を含み、
前記再生制御情報は、前記副映像情報をハイライト表示するためのハイライト情報を含み、
前記ハイライト情報は、前記ハイライト表示の有効期間を規定する時刻管理情報を含むことを特徴とする情報処理装置。
【請求項１７】
前記時刻管理情報は、前記有効期間を前記データグループが対応する再生時間よりも細かい単位で管理可能することを特徴とする請求項１６に記載の情報処理装置。
【請求項１８】
前記時刻管理情報は、前記ハイライト表示の開始時間を示すハイライト開始点情報と、前記ハイライト表示の終了時間を示すハイライト終了点情報と、を含むことを特徴とする請求項１６又は１７に記載の情報処理装置。
【請求項１９】
前記ハイライト表示の開始時間は、ハイライト対象の副映像情報の表示開始時間以上であり、前記ハイライト表示の終了時間は、ハイライト対象の副映像情報の表示終了時間以下であることを特徴とする請求項１８に記載の情報処理装置。
【請求項２０】
前記ハイライト情報は、当該ハイライト情報と、当該ハイライト情報を含む前記再生制御情報が属する前記データグループの前に先行する先行データグループに属する前記再生制御情報が含むハイライト情報とが同一であるか否かを示すハイライト同一情報を含むことを特徴とする請求項１６乃至１１９のいずれか一に記載の情報処理装置。
【請求項２１】
前記ハイライト情報は、当該ハイライト情報と、当該ハイライト情報を含む前記再生制御情報が属する前記データグループの前に再生されるべき先行データグループに属する前記再生制御情報が含むハイライト情報とが特定の一部において同一であるか否かを示すハイライト一部同一情報を含むことを特徴とする請求項１６乃至２０のいずれか一に記載の情報処理装置。
【請求項２２】
副映像情報を含む記録情報を処理する信号処理工程と、
前記記録情報に対応する再生制御情報を含む付加情報を生成する付加情報生成工程と、
前記記録情報及び前記付加情報を記録媒体に記録する記録工程と、を含み、
前記記録情報は複数のデータグループに区分され、
前記複数のデータグループの各々は前記再生制御情報を含み、
前記再生制御情報は、前記副映像情報をハイライト表示するためのハイライト情報を含み、
前記ハイライト情報は、前記ハイライト表示の有効期間を規定する時刻管理情報を含むことを特徴とする情報記録方法。
【請求項２３】
前記時刻管理情報は、前記有効期間を前記データグループよりも細かい単位で管理可能とすることを特徴とする請求項２２に記載の情報記録方法。
【請求項２４】
前記時刻管理情報は、
前記ハイライト表示の開始時間を示すハイライト開始点情報と、
前記ハイライト表示の終了時間を示すハイライト終了点情報と、
を含むことを特徴とする請求項２２又は２３に記載の情報記録方法。
【請求項２５】
前記ハイライト表示の開始時間は、ハイライト対象の副映像情報の表示開始時間以上であり、
前記ハイライト表示の終了時間は、ハイライト対象の副映像情報の表示終了時間以下であることを特徴とする請求項２４に記載の情報記録方法。
【請求項２６】
前記ハイライト情報は、
当該ハイライト情報と、当該ハイライト情報を含む前記再生制御情報が属するデータグループに先行する先行データグループに属する再生制御情報が含むハイライト情報とが同一であるか否かを示すハイライト同一情報を含むことを特徴とする請求項２２乃至２５のいずれか一に記載の情報記録方法。
【請求項２７】
前記ハイライト情報は、
当該ハイライト情報と、
当該ハイライト情報を含む前記再生制御情報が属する前記データグループに先行する先行データグループに属する前記再生制御情報が含むハイライト情報と、
が特定の一部において同一であるか否かを示すハイライト一部同一情報を含むことを特徴とする請求項２２乃至２６のいずれか一に記載の情報記録方法。
【請求項２８】
前記記録情報は、主映像情報を含み、
前記副映像情報は、前記主記録情報にスーパーインポーズ表示されるものであることを特徴とする請求項２２乃至２７のいずれか一に記載の情報記録方法。
【請求項２９】
前記記録媒体は、マスタディスクであり、
前記マスタディスクを用いてレプリカディスクを製造する工程を更に備えることを特徴とする請求項２２乃至２８のいずれか一に記載の情報記録方法。
【請求項３０】
請求項２９に記載の情報記録方法により製造されたレプリカディスク。
【請求項３１】
副映像情報を含み、複数のデータグループに区分された記録情報と、
前記記録情報に対応する再生制御情報と、が記録されていると共に、
前記複数のデータグループの各々が前記再生制御情報を含んで記録されており、
前記再生制御情報が前記副映像情報をハイライト表示するためのハイライト情報を含んで記録されており、
前記ハイライト情報が前記ハイライト表示の有効期間を規定する時刻管理情報を含んで記録されている情報記録媒体から情報を再生する情報再生方法であって、
前記情報記録媒体に記録されている情報を読取る読取工程と、
前記読取工程において読取られた情報を復調して復調信号を生成する復調工程と、
前記復調信号から前記ハイライト情報を検出する検出工程と、
前記検出されたハイライト情報に基づき前記ハイライト表示を制御する制御工程と、
を含むことを特徴とする情報再生方法。
【請求項３２】
前記時刻管理情報は、前記有効期間を前記データグループよりも細かい単位で管理可能とし、
前記制御工程においては、前記有効期間の間ハイライト表示を行うことを特徴とする請求項３１に記載の情報再生方法。
【請求項３３】
前記時刻管理情報は、前記ハイライト表示の開始時間を示すハイライト開始点情報と、前記ハイライト表示の終了時間を示すハイライト終了点情報と、を含み、
前記制御工程においては、前記ハイライト開始点情報に基づいてハイライト表示を開始し、前記ハイライト終了点情報に基づいてハイライト表示を終了することを特徴とする請求項３１又は３２に記載の情報再生方法。
【請求項３４】
前記ハイライト情報は、当該ハイライト情報と、当該ハイライト情報を含む前記再生制御情報が属する前記データグループに先行する先行データグループに属する前記再生制御情報に含まれているハイライト情報とが同一であるか否かを示すハイライト同一情報を含み、
前記制御工程においては、前記ハイライト同一情報が、当該ハイライト情報と前記先行データグループに属する再生制御情報に含まれているハイライト情報とが同一であることを示している場合、前記先行データグループに含まれるハイライト情報によるハイライト表示を継続することを特徴とする請求項３１乃至３３のいずれか一に記載の情報再生方法。
【請求項３５】
前記ハイライト情報は、当該ハイライト情報と、当該ハイライト情報を含む前記再生制御情報が属する前記データグループに先行する先行データグループに属する前記再生制御情報に含まれているハイライト情報とが特定の一部において同一であるか否かを示すハイライト一部同一情報を含み、
前記制御工程においては、前記ハイライト一部同一情報が、当該ハイライト情報と前記先行データグループに属する再生制御情報に含まれているハイライト情報とが特定の一部において同一であることを示している場合、前記特定の一部について、前記先行データグループに属する再生制御情報が含むハイライト情報によるハイライト表示を継続することを特徴とする請求項３１乃至３４のいずれか一に記載の情報再生方法。
【請求項３６】
前記記録情報が主映像情報を含むと共に、
前記情報再生方法は、
前記主映像情報を復号する主映像復号工程と、
前記副映像情報を復号する副映像復号工程と、
前記副映像復号工程において復号された副映像情報を、前記主映像復号工程において復号された前記主記録情報にスーパーインポーズ表示するための混合工程と、を更に含むことを特徴とする請求項３１乃至３５のいずれか一に記載の情報再生方法。
【請求項３７】
副映像情報を含む記録情報を処理する信号処理工程と、
前記記録情報に対応する再生制御情報を含む付加情報を生成する付加情報生成工程と、
前記記録情報及び前記付加情報を記録媒体に記録する記録工程と、を含み、
前記記録情報は複数のデータグループに区分され、
前記複数のデータグループの各々は前記再生制御情報を含み、
前記再生制御情報は、前記副映像情報をハイライト表示するためのハイライト情報を含み、
前記ハイライト情報は、前記ハイライト表示の有効期間を規定する時刻管理情報を含むことを特徴とする情報処理方法。
【請求項３８】
前記時刻管理情報は、前記有効期間を前記データグループが対応する再生時間よりも細かい単位で管理可能することを特徴とする請求項３７に記載の情報処理方法。
【請求項３９】
前記時刻管理情報は、前記ハイライト表示の開始時間を示すハイライト開始点情報と、前記ハイライト表示の終了時間を示すハイライト終了点情報と、を含むことを特徴とする請求項３７又は３８に記載の情報処理方法。
【請求項４０】
前記ハイライト表示の開始時間は、ハイライト対象の副映像情報の表示開始時間以上であり、前記ハイライト表示の終了時間は、ハイライト対象の副映像情報の表示終了時間以下であることを特徴とする請求項３９に記載の情報処理方法。
【請求項４１】
前記ハイライト情報は、当該ハイライト情報と、当該ハイライト情報を含む前記再生制御情報が属する前記データグループの前に先行する先行データグループに属する前記再生制御情報が含むハイライト情報とが同一であるか否かを示すハイライト同一情報を含むことを特徴とする請求項３７乃至４０のいずれか一に記載の情報処理方法。
【請求項４２】
前記ハイライト情報は、当該ハイライト情報と、当該ハイライト情報を含む前記再生制御情報が属する前記データグループの前に再生されるべき先行データグループに属する前記再生制御情報が含むハイライト情報とが特定の一部において同一であるか否かを示すハイライト一部同一情報を含むことを特徴とする請求項３７乃至４１のいずれか一に記載の情報処理方法。
【手続補正３】
【補正対象書類名】明細書
【補正対象項目名】０００９
【補正方法】変更
【補正の内容】
【０００９】
【課題を解決するための手段】
上記課題を解決するために、請求項１に記載の発明は、副映像情報を含む記録情報を処理する信号処理手段と、前記記録情報に対応する再生制御情報を含む付加情報を生成する付加情報生成手段と、前記記録情報及び前記付加情報を記録媒体に記録する記録手段と、を備え、前記記録情報は複数のデータグループに区分され、前記複数のデータグループの各々は前記再生制御情報を含み、前記再生制御情報は、前記副映像情報をハイライト表示するためのハイライト情報を含み、前記ハイライト情報は、前記ハイライト表示の有効期間を規定する時刻管理情報を含むように構成される。
【手続補正４】
【補正対象書類名】明細書
【補正対象項目名】００１１
【補正方法】変更
【補正の内容】
【００１１】
上記課題を解決するために、請求項１０に記載の発明は、副映像情報を含み、複数のデータグループに区分された記録情報と、前記記録情報に対応する再生制御情報と、が記録されていると共に、前記複数のデータグループの各々が前記再生制御情報を含んで記録されており、前記再生制御情報が前記副映像情報をハイライト表示するためのハイライト情報を含んで記録されており、前記ハイライト情報が前記ハイライト表示の有効期間を規定する時刻管理情報を含んで記録されている情報記録媒体から情報を再生する情報再生装置であって、前記情報記録媒体に記録されている情報を読取る読取手段と、前記読取手段により読取られた情報を復調して復調信号を生成する復調手段と、前記復調信号から前記ハイライト情報を検出する検出手段と、前記検出されたハイライト情報に基づき前記ハイライト表示を制御する制御手段と、を備える。
【手続補正５】
【補正対象書類名】明細書
【補正対象項目名】００１２
【補正方法】変更
【補正の内容】
【００１２】
上記課題を解決するために、請求項１６に記載の発明は、副映像情報を含む記録情報を処理する信号処理手段と、前記記録情報に対応する再生制御情報を含む付加情報を生成する付加情報生成手段と、前記記録情報及び前記付加情報を記録媒体に記録する記録手段と、を備え、前記記録情報は複数のデータグループに区分され、前記複数のデータグループの各々は前記再生制御情報を含み、前記再生制御情報は、前記副映像情報をハイライト表示するためのハイライト情報を含み、前記ハイライト情報は、前記ハイライト表示の有効期間を規定する時刻管理情報を含むように構成される。
【手続補正６】
【補正対象書類名】明細書
【補正対象項目名】００１３
【補正方法】変更
【補正の内容】
【００１３】
上記課題を解決するために、請求項２２に記載の発明は、副映像情報を含む記録情報を処理する信号処理工程と、前記記録情報に対応する再生制御情報を含む付加情報を生成する付加情報生成工程と、前記記録情報及び前記付加情報を記録媒体に記録する記録工程と、を含み、前記記録情報は複数のデータグループに区分され、前記複数のデータグループの各々は前記再生制御情報を含み、前記再生制御情報は、前記副映像情報をハイライト表示するためのハイライト情報を含み、前記ハイライト情報は、前記ハイライト表示の有効期間を規定する時刻管理情報を含むように構成される。
【手続補正７】
【補正対象書類名】明細書
【補正対象項目名】００１４
【補正方法】変更
【補正の内容】
【００１４】
上記課題を解決するために、請求項３１に記載の発明は、副映像情報を含み、複数のデータグループに区分された記録情報と、前記記録情報に対応する再生制御情報と、が記録されていると共に、前記複数のデータグループの各々が前記再生制御情報を含んで記録されており、前記再生制御情報が前記副映像情報をハイライト表示するためのハイライト情報を含んで記録されており、前記ハイライト情報が前記ハイライト表示の有効期間を規定する時刻管理情報を含んで記録されている情報記録媒体から情報を再生する情報再生方法であって、前記情報記録媒体に記録されている情報を読取る読取工程と、前記読取工程において読取られた情報を復調して復調信号を生成する復調工程と、前記復調信号から前記ハイライト情報を検出する検出工程と、前記検出されたハイライト情報に基づき前記ハイライト表示を制御する制御工程と、を含む。
【手続補正８】
【補正対象書類名】明細書
【補正対象項目名】００１５
【補正方法】変更
【補正の内容】
【００１５】
上記課題を解決するために、請求項３７に記載の発明は、副映像情報を含む記録情報を処理する信号処理工程と、前記記録情報に対応する再生制御情報を含む付加情報を生成する付加情報生成工程と、前記記録情報及び前記付加情報を記録媒体に記録する記録工程と、を含み、前記記録情報は複数のデータグループに区分され、前記複数のデータグループの各々は前記再生制御情報を含み、前記再生制御情報は、前記副映像情報をハイライト表示するためのハイライト情報を含み、前記ハイライト情報は、前記ハイライト表示の有効期間を規定する時刻管理情報を含むように構成される。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
【発明の実施の形態】
次に、本発明に好適な実施の形態について説明する。なお、以下に説明する実施の形態は、上記ＤＶＤに対して本発明を適用した実施の形態について説明するものである。


【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】変更
【補正の内容】
【００２９】
（Ｉ）情報記録媒体の実施の形態
始めに、本発明が適用された情報記録媒体の実施の一形態であるＤＶＤの物理的及び論理的な構成並びにその動作について、図１から図１１を用いて説明する。


【手続補正２３】
【補正対象書類名】明細書
【補正対象項目名】００６５
【補正方法】変更
【補正の内容】
【００６５】
次に、時刻管理情報の一例としての「ハイライト開始点」を示す４バイトの情報２０２について、図７を参照して説明する。この「ハイライト開始点」を示す情報２０２は、上述した「ハイライト状態」を示す情報２０１によりハイライト情報が有効であるとされた場合に、有効になるハイライト開始時間を以下に示す形式で記述する。即ち、情報２０２は、HLI＿SSデータがデータ値「０１」のときは新しハイライト情報についてのハイライト開始時間を、同様にデータ値「１０」又は「１１」のときは現在のＶＯＢＵまで引き続いている現在より以前のハイライト情報についてのハイライト開始時間を示す。尚、ハイライト開始時間は、当該ハイライト情報が対象とする副映像の表示開始時間以上でなければならない。図７において、この「ハイライト開始点」を示す情報２０２における全てのビットｂ０〜ｂ３１（全３２ビット）に、HLI＿SPTSデータが書込まれている。ここに、ハイライト開始時間は、所定の計算式（HLI＿SPTS値＝ハイライト開始時間（秒）×９００００（Ｈｚ））を用いて計算された値がバイナリーで、ｂ０〜ｂ３１のビットに書込まれる。HLI＿SPTSデータは、そのハイライト開始に対応する副映像データのビデオフレームの先頭バイトが再生装置におけるデコーダから出力される時間を表しており、９０ｋＨｚの単位で指定するものである。ここで、９０ｋＨｚとしたのは、ＮＴＳＣ、ＰＡＬといった方式のビデオフレームの周波数の公倍数であり、映像データと周波数的な相性が良いからである。


【手続補正２４】
【補正対象書類名】明細書
【補正対象項目名】００６６
【補正方法】変更
【補正の内容】
【００６６】
次に、時刻管理情報の一例としての「ハイライト終了点」を示すHLI＿EPTSデータを示す４バイトの情報２０３について、図８を参照して説明する。この「ハイライト終了点」を示す情報２０３は、上述した「ハイライト状態」を示す情報２０１によりハイライト情報が有効であるとされた場合に、無効になるハイライト終了時間を以下に示す形式で記述する。即ち、情報２０３は、HLI＿SSデータがデータ値「０１」のときは新しハイライト情報についてのハイライト終了時間を、同様にデータ値「１０」又は「１１」のときは現在のＶＯＢＵまで引き続いている現在より以前のハイライト情報についてのハイライト終了時間を示す。尚、ハイライト終了時間は、当該ハイライト情報が対象とする副映像の表示終了時間以下でなければならない。


【手続補正２５】
【補正対象書類名】明細書
【補正対象項目名】０１２１
【補正方法】変更
【補正の内容】
【０１２１】
以上のように、本実施の形態によれば、ＶＯＢＵのスタート位置やサブピクチャのスタート位置とは独立して、フレーム単位でハイライト情報の有効期間を設定できるので便利である。
【手続補正２６】
【補正対象書類名】明細書
【補正対象項目名】０１２２
【補正方法】削除
【補正の内容】
【手続補正２７】
【補正対象書類名】明細書
【補正対象項目名】０１２３
【補正方法】削除
【補正の内容】
【手続補正２８】
【補正対象書類名】明細書
【補正対象項目名】０１２４
【補正方法】削除
【補正の内容】
【手続補正２９】
【補正対象書類名】明細書
【補正対象項目名】０１２５
【補正方法】削除
【補正の内容】
【手続補正３０】
【補正対象書類名】明細書
【補正対象項目名】０１２６
【補正方法】削除
【補正の内容】
【手続補正３１】
【補正対象書類名】明細書
【補正対象項目名】０１２７
【補正方法】削除
【補正の内容】
【手続補正３２】
【補正対象書類名】明細書
【補正対象項目名】０１２８
【補正方法】削除
【補正の内容】
【手続補正３３】
【補正対象書類名】明細書
【補正対象項目名】０１２９
【補正方法】削除
【補正の内容】
【手続補正３４】
【補正対象書類名】明細書
【補正対象項目名】０１３０
【補正方法】削除
【補正の内容】